(57)【特許請求の範囲】
【請求項１】
頭頂部要素と、
前記頭頂部要素の左右端にそれぞれ左折罫部及び右折罫部を介して連設された、左側頭部要素及び右側頭部要素と、
前記左側頭部要素の前後にそれぞれ左前折罫部及び左後折罫部を介して連設された、左前側頭部要素及び左後側頭部要素と、
前記右側頭部要素の前後にそれぞれ右前折罫部及び右後折罫部を介して連設された、右前側頭部要素及び右後側頭部要素と、
前記左側頭部要素の下端に左端折罫部を介して連設された左側頭部内側要素と、
前記右側頭部要素の下端に右端折罫部を介して連設された右側頭部内側要素と、
前記左前側頭部要素の下端に左前端折罫部を介して連設された左前側頭部内側要素と、
前記左後側頭部要素の下端に左後端折罫部を介して連設された左後側頭部内側要素と、
前記右前側頭部要素の下端に右前端折罫部を介して連設された右前側頭部内側要素と、
前記右後側頭部要素の下端に右後端折罫部を介して連設された右後側頭部内側要素と、
前記左側頭部内側要素の上端に左頭頂折罫部を介して連設された左頭頂部内側要素と、
前記右側頭部内側要素の上端に右頭頂折罫部を介して連設された右頭頂部内側要素と
を有する１枚の展開シートを、
前記頭頂部要素を前後方向の直線状の折曲部を介して折り曲げ可能にすることにより頭頂部外殻を構成し、
前記左折罫部及び前記右折罫部を山折りにし、前記左前折罫部及び前記右前折罫部で山折りして前記左前側頭部要素の右端と前記右前側頭部要素の左端を折り曲げ可能に結合し、前記左後折罫部及び右後折罫部で山折りして前記左後側頭部要素の右端と前記右後側頭部要素の左端を折り曲げ可能に結合することで、前記左前側頭部要素、前記左側頭部要素、前記左後側頭部要素、前記右前側頭部要素、前記右側頭部要素及び前記右後側頭部要素により側頭部外殻を構成し、
前記左端折罫部、前記右端折罫部、前記左前端折罫部、前記左後端折罫部、前記右前端折罫部及び前記右後端折罫部で、前記左側頭部内側要素、前記右側頭部内側要素、前記左前側頭部内側要素、前記左後側頭部内側要素、前記右前側頭部内側要素、前記右後側頭部内側要素を、それぞれ前記側頭部外殻の内側に折り曲げることで側頭部内殻を構成し、
前記左頭頂部内側要素及び前記右頭頂部内側要素を、前記左頭頂折罫部及び前記右頭頂折罫部で谷折りすることで頭頂部内殻を構成することを特徴とする折り畳み式ヘルメット。
【請求項２】
請求項１に記載の折り畳み式ヘルメットにおいて、
前記左前側頭部要素及び前記右前側頭部要素の少なくとも一方が、両者を結合するための結合片を有し、前記左後側頭部要素及び前記右後側頭部要素の少なくとも一方が、両者を結合するための結合片を有する折り畳み式ヘルメット。
【請求項３】
請求項１又は２に記載の折り畳み式ヘルメットにおいて、
前記左頭頂部内側要素及び前記右頭頂部内側要素が、互いに係合可能な係合部をそれぞれ有することを特徴とする組み立てヘルメット。
【請求項４】
請求項１〜３のいずれかに記載の折り畳み式ヘルメットにおいて、
前記左前側頭部内側要素の上端、前記左後側頭部内側要素の上端、前記右前側頭部内側要素の上端、前記右後側頭部内側要素の上端には、それぞれ、前記左頭頂部内側要素及び前記右頭頂部内側要素と頭頂部外殻との間に差し込まれる補助片が連設されていることを特徴とする折り畳み式ヘルメット。
【請求項５】
前記展開シートが、二重段ボールシートから形成されていることを特徴とする請求項１〜４のいずれかに記載の折り畳み式ヘルメット。
【請求項６】
前記左側頭部要素の下端部と前記右側頭部要素の下端部との間に掛け渡された顎紐を有することを特徴とする請求項１〜５のいずれかに記載の折り畳み式ヘルメット。
【発明の詳細な説明】
【技術分野】
【０００１】
本発明は、不使用時に折り畳んでおくことができるヘルメットに関する。
【背景技術】
【０００２】
地震、台風等の災害時に落下物から頭部を守るための保護具の一つにヘルメットがある。防災用ヘルメットは、いつ発生するか分からない災害に備えて、一般家庭の他、学校や病院等の公共施設等に保管され、災害発生時に保管場所から取り出されて使用される。つまり、防災用ヘルメットは、建設工事や土木工事等の現場で使用される産業用ヘルメットと異なり、一般的に保管期間が長い。防災用ヘルメット一つ一つは小さくても、公共施設のように人が多く集まる場所では大量のヘルメットを保管することになるため、保管するための大きなスペースが必要となる。そこで、保管時に嵩張らないように工夫した防災用ヘルメットが開発されている。
【０００３】
例えば特許文献１には、厚紙や段ボールシートを所定の形状に切り抜いて形成された展開シートを適宜の箇所で折り曲げて成る組立式の防災用ヘルメットが記載されている。展開シートは、頭頂部に対応する平板状の要素（頭頂部要素）と、該要素の周縁部に折罫部（ヒンジ）を介して放射状に連設された、前後左右の側頭部に対応する複数の平板状の要素（側頭部要素）を有している。各側頭部要素には紐通し孔が設けられており、該孔に通された紐を引いて、隣り合う側頭部要素を近接させることで、側頭部を取り囲む部分（側頭部被覆部）を形成し、これと頭頂部要素から半球状のヘルメットが構成される。
このような構成により、上記防災用ヘルメットでは、展開シートの状態、或いは展開シートを折り畳んだ状態で保管することができるため、保管時に嵩張らず、保管場所が小さくて済む。
【先行技術文献】
【特許文献】
【０００４】
【特許文献１】特開2011-021293号公報
【発明の概要】
【発明が解決しようとする課題】
【０００５】
特許文献１の防災用ヘルメットは、頭頂部要素の周縁部に複数の側頭部要素が連設されており、側頭部要素同士が直接繋がっていない。このような側頭部要素を紐で繋ぐことで側頭部被覆部を構成しているが、紐で繋いだだけでは、繋ぎ目部分の強度が低いという問題があった。
【０００６】
本発明が解決しようとする課題は、側頭部を覆う部分の強度を高めた折り畳み式ヘルメットを提供することである。
【課題を解決するための手段】
【０００７】
上記課題を解決するために成された本発明に係る折り畳み式ヘルメットは、
頭頂部要素と、
前記頭頂部要素の左右端にそれぞれ左折罫部及び右折罫部を介して連設された、左側頭部要素及び右側頭部要素と、
前記左側頭部要素の前後にそれぞれ左前折罫部及び左後折罫部を介して連設された、左前側頭部要素及び左後側頭部要素と、
前記右側頭部要素の前後にそれぞれ右前折罫部及び右後折罫部を介して連設された、右前側頭部要素及び右後側頭部要素と
を有する１枚の展開シートを、
前記頭頂部要素を前後方向の直線状の折曲部を介して折り曲げ可能にすることにより頭頂部外殻を構成し、
前記左折罫部及び前記右折罫部を山折りにし、前記左前折罫部及び前記右前折罫部で山折りして前記左前側頭部要素の右端と前記右前側頭部要素の左端を折り曲げ可能に結合し、前記左後折罫部及び右後折罫部で山折りして前記左後側頭部要素の右端と前記右後側頭部要素の左端を折り曲げ可能に結合することで、前記左前側頭部要素、前記左側頭部要素、前記左後側頭部要素、前記右前側頭部要素、前記右側頭部要素及び前記右後側頭部要素により側頭部外殻を構成する
ことを特徴とする。
【０００８】
上記折り畳み式ヘルメットにおいて、前後左右とは、ヘルメットを着用した者から見た前後左右を指す。つまり、展開シートの状態では「右側」ではなくても、ヘルメットの状態で「右側」であれば、その向きを「右側」と定義する。ただし、便宜上、前記折り畳み式ヘルメットの前後左右の向きを定義しただけであり、前後の向きを逆にして着用しても良く、前後の向きを左右の向き又は右左の向きにして着用することも可能である。
【０００９】
上記構成の折り畳み式ヘルメットでは、着用者の側頭部を保護する部分である側頭部外殻が、前記左側頭部要素、前記左前側頭部要素、前記右前側頭部要素、前記右側頭部要素、前記右後側頭部要素及び前記左後側頭部要素の全てが連なって構成されている。特に、左側頭部要素とその前後の左前側頭部要素及び左後側頭部要素の間、右側頭部要素とその前後の右前側頭部要素及び右後側頭部要素の間には、いずれも山折りされた折罫部が介在するため、側頭部外殻の強度が高くなる。さらに、上記折り畳み式ヘルメットは、頭頂部外殻（頭頂部要素）の左右両側に、左側頭部要素、前記左前側頭部要素及び前記左後側頭部要素と、前記右側頭部要素、前記右前側頭部要素及び前記右後側頭部要素とが、左折罫部と右折罫部を介して連設されているため、頭頂部外殻を折曲部で折り曲げることにより、展開シートの状態ではなく、ヘルメットに組み立てられた状態の該ヘルメットを半分に折り畳むことができる。従って、ヘルメットの形状に直ぐに戻すことができる。
【００１０】
上記折り畳み式ヘルメットにおいて、前記左前側頭部要素の右端と前記右前側頭部要素の左端、前記左後側頭部要素の右端と前記右後側頭部要素の左端を結合する手段としては、粘着テープ、紐等を使用することができるが、前記左前側頭部要素及び前記右前側頭部要素の少なくとも一方に、両者を結合するための結合片を設け、前記左後側頭部要素及び前記右後側頭部要素の少なくとも一方に、両者を結合するための結合片を設けると、両者を結合し易くなる。
【００１１】
また、上記の折り畳み式ヘルメットにおいては、
前記展開シートが、さらに、
前記左側頭部要素の下端に左端折罫部を介して連設された左側頭部内側要素と、
前記右側頭部要素の下端に右端折罫部を介して連設された右側頭部内側要素と、
前記左前側頭部要素の下端に左前端折罫部を介して連設された左前側頭部内側要素と、
前記左後側頭部要素の下端に左後端折罫部を介して連設された左後側頭部内側要素と、
前記右前側頭部要素の下端に右前端折罫部を介して連設された右前側頭部内側要素と、
前記右後側頭部要素の下端に右後端折罫部を介して連設された右後側頭部内側要素と、
前記左側頭部内側要素の上端に左頭頂折罫部を介して連設された左頭頂部内側要素と、
前記右側頭部内側要素の上端に右頭頂折罫部を介して連設された右頭頂部内側要素と
を有し、
前記左端折罫部、前記右端折罫部、前記左前端折罫部、前記左後端折罫部、前記右前端折罫部及び前記右後端折罫部で、前記左側頭部内側要素、前記右側頭部内側要素、前記左前側頭部内側要素、前記左後側頭部内側要素、前記右前側頭部内側要素、前記右後側頭部内側要素を、それぞれ前記側頭部外殻の内側に折り曲げることで側頭部内殻を構成し、
前記左頭頂部内側要素及び前記右頭頂部内側要素を、前記左頭頂折罫部及び前記右頭頂折罫部で谷折りすることで頭頂部内殻を構成することが好ましい。
【００１２】
上記構成の折り畳み式ヘルメットは、頭頂部外殻及び側頭部外殻と、その内側に位置する、頭頂部内殻及び側頭部内殻の二重構造になるため、ヘルメット全体の強度を高くすることができる。
【００１３】
前記二重構造の折り畳み式ヘルメットにおいては、
前記左頭頂部内側要素及び前記右頭頂部内側要素が、互いに係合可能な係合部をそれぞれ有することが好ましい。
【００１４】
また、前記二重構造の折り畳み式ヘルメットにおいて、
前記左前側頭部内側要素の上端、前記左後側頭部内側要素の上端、前記右前側頭部内側要素の上端、前記右後側頭部内側要素の上端に、それぞれ、前記頭頂部内殻と前記頭頂部外殻との間に差し込まれる補助片が連設されていることが好ましい。
【００１５】
前記折り畳み式ヘルメットの頭頂部外殻と側頭部外殻とは、頭頂部要素と左側頭部要素及び右側頭部要素との間は繋がっているが、その他の箇所では離間している。上記構成によれば、頭頂部外殻と側頭部外殻とが離間する部分を補助片で塞ぐことができる。
【００１６】
上記構成の折り畳み式ヘルメットにおいては、前記展開シートは、厚紙、段ボールシート等から形成することができる。特に、前記展開シートを二重段ボールシートから形成すると、ヘルメット全体の強度をより一層高めることができる。
【００１７】
また、上記折り畳み式ヘルメットにおいては、前記左側頭部要素の下端部と前記右側頭部要素の下端部との間に掛け渡された顎紐を有することが好ましい。この構成により、折り畳み式ヘルメットを着用者の頭部に確実に装着することができる。また、折り畳み式ヘルメットを折り畳んだ状態で顎紐を萎めておくことで、不用意にヘルメットが広がるのを抑え、コンパクトに畳まれた状態を維持することができる。
【発明の効果】
【００１８】
本発明によれば、保管時に小さく折り畳んでおくことができる折り畳み式ヘルメットにおいて、側頭部を覆う部分の強度を高めることができる。
【図面の簡単な説明】
【００１９】
【図１】本発明に係る折り畳み式ヘルメットの第１実施例の展開シートの平面図。
【図２】二重段ボールシートの側面図。
【図３】折り畳み式ヘルメットを折り畳んだ状態を示す図であり、ヘルメットを右側から見た図（ａ）、下から見た図（ｂ）、前方から見た図（ｃ）。
【図４】折り畳み式ヘルメットを上方から見た図（ａ）、側方から見た図（ｂ）、下から見た図（ｃ）、前方から見た図（ｄ）。
【図５】組み立てられた状態のヘルメットを正面のやや上方から撮影した写真。
【図６】組み立てられた状態のヘルメットを下面から撮影した写真。
【図７】折り畳まれた状態のヘルメットを斜め上方から撮影した写真。
【図８】第２実施例の折り畳み式ヘルメットを上方から見た図（ａ）、側方から見た図（ｂ）、下から見た図（ｃ）、前方から見た図（ｄ）。
【図９】第１実施例のヘルメットと第２実施例のヘルメットを並べて正面側から撮影した写真。
【発明を実施するための形態】
【００２０】
以下、本発明に係る折り畳み式ヘルメットの具体的な実施例について図面を参照して説明する。
【００２１】
［第１実施例］
図１は、第１実施例の折り畳み式ヘルメット（以下、単に「ヘルメット」という）の展開シート１００を示している。この展開シートを適宜の箇所で折り畳むことにより、図２に示すヘルメット２００が形成される。
展開シート１００は、例えば二重段ボールシートからなり、略六角形状の頭頂部要素１０１と、該頭頂部要素１０１の左右端にそれぞれ左折罫部１１０及び右折罫部１２０を介して連設された、左側頭部要素１１１及び右側頭部要素１２１を備えている。頭頂部要素１０１は、左右方向中央部に直線状の２本の折曲線１０２を有しており、該折曲線１０２において折り曲げ可能になっている。
【００２２】
図２は二重段ボールシートの側面図である。二重段ボールシートは、積層された３枚の平板３０１〜３０３と、上部と中央の平板３０１、３０２の間に配置された波板３０４と、中央部と下部の平板３０２、３０３の間に配置された波板３０５とから成る。本実施例では、上側の波板３０４の方が下側の波板３０５よりもピッチが小さいものが用いられている。
【００２３】
左側頭部要素１１１の前後には、それぞれ左前折罫部１１２及び左後折罫部１１３を介して左前側頭部要素１１４及び左後側頭部要素１１５が連設されている。また、右側頭部要素１２１の前後には、それぞれ右前折罫部１２２及び右後折罫部１２３を介して右前側頭部要素１２４及び右後側頭部要素１２５が連設されている。
【００２４】
さらに、左側頭部要素１１１の左端には左端折罫部１３１を介して左側頭部内側要素１３２が連設され、左前側頭部要素１１４の左端には左前端折罫部１３３を介して左前側頭部内側要素１３４が連設され、左後側頭部要素１１５の左端には左後端折罫部１３５を介して左後側頭部内側要素１３６が連設されている。また、左側頭部内側要素１３２の左端には左頭頂折罫部１３７を介して左頭頂部内側要素１３８が連設されている。
【００２５】
一方、右側頭部要素１２１の右端には右端折罫部１４１を介して右側頭部内側要素１４２が連設され、右前側頭部要素１２４の右端には右前端折罫部１４３を介して右前側頭部内側要素１４４が連設され、右後側頭部要素１２５の右端には右後端折罫部１４５を介して右後側頭部内側要素１４６が連設されている。また、右側頭部内側要素１４２の右端には右頭頂折罫部１４７を介して右頭頂部内側要素１４８が連設されている。
【００２６】
左折罫部１１０、左前折罫部１１２、左後折罫部１１３、右折罫部１２０、右前折罫部１２２、及び右後折罫部１２３は、いずれも１本の直線状の折罫線から成り、左端折罫部１３１、左前端折罫部１３３、左後端折罫部１３５、右端折罫部１４１、右前端折罫部１４３、及び右後端折罫部１４５は、いずれも２本の直線状の折罫線から成る。
【００２７】
左頭頂部内側要素１３８の左端（ヘルメット２００に組み立てた状態では右端）及び右頭頂部内側要素１４８の右端（同じく、ヘルメット２００に組み立てた状態では左端）には、それぞれ係合凹部１５１と係合凸部１５２が形成されている。係合凹部１５１と係合凸部１５２とは互いに結合可能な形状を有している。
【００２８】
左頭頂折罫部１３７の中央付近及び右頭頂折罫部１４７の中央付近にはそれぞれＵ字状の切り起こし片１５３、１５４が形成されている。
左側頭部要素１１１と左側頭部内側要素１３２の境界には、左端折罫部１３１を跨ぐように紐通し孔１５５が空けられており、右側頭部要素１２１と右側頭部内側要素１４２の境界には、右端折罫部１４１を跨ぐように、紐通し孔１５６が空けられている。
【００２９】
右前側頭部要素１２４の下端（組み立てた状態の左端）には、該右前側頭部要素１２４と左前側頭部要素１１４を結合するための結合片１６１が折罫線１６２を介して連接されている。また、右後側頭部要素１２５の上端（組み立てた状態の右端）には、該右後側頭部要素１２５と左後側頭部要素１１５を結合するための結合片１６３が折罫線１６４を介して連設されている。なお、右前側頭部要素１２４と左前側頭部要素１１４を結合するための結合片、右後側頭部要素１２５と左後側頭部要素１１５を結合するための結合片は、それぞれ左前側頭部要素１１４の右端、左後側頭部要素１１５の左端に連設されていても良い。
【００３０】
また、左前側頭部内側要素１３４及び左後側頭部内側要素１３６の左端（組み立てた状態の上端）、右前側頭部内側要素１４４及び右後側頭部内側要素１４６の右端（組み立てた状態の上端には、それぞれ折罫線１６５〜１６８を介して補助片１７１〜１７４が連結されている。
【００３１】
展開シート１００の構成は以上の通りである。次に、展開シート１００からヘルメット２００を構成する作業について図４を参照しつつ説明する。
まず、頭頂部要素１０１を２本の折曲線１０２で山折りするとともに、該頭頂部要素１０１に対して左側頭部要素１１１及び右側頭部要素１２１を左折罫部１１０及び右折罫部１２０で山折りにする。次に、左側頭部要素１１１に対して左前側頭部要素１１４及び左後側頭部要素１１５を左前折罫部１１２及び左後折罫部１１３で山折りし、右側頭部要素１２１に対して右前側頭部要素１２４及び右後側頭部要素１２５を右前折罫部１２２及び右後折罫部１２３で山折りにする。
【００３２】
続いて、結合片１６１、１６３の上面の一部（図１において、升目模様を付けた領域）に接着剤を塗布し、左前側頭部要素１１４の右端と右前側頭部要素１２４の左端を近付けて結合片１６１を左前側頭部要素１１４に接着し、左後側頭部要素１１５の右端と右後側頭部要素１２５の左端を近付けて結合片１６３を左後側頭部要素１１５に接着する。以上により、左前側頭部要素１１４と右前側頭部要素１２４、左後側頭部要素１１５と右後側頭部要素１２５が折り曲げ可能に結合される。また、頭頂部要素１０１からヘルメット２００の頭頂部外殻２０１が構成され、左前側頭部要素１１４、左側頭部要素１１１、左後側頭部要素１１５、右後側頭部要素１２５、右側頭部要素１２１及び右前側頭部要素１２４からヘルメットの側頭部外殻２０２が構成される。側頭部外殻２０２は平面視六角形状を成している。
【００３３】
次に、側頭部外殻２０２に対して左側頭部内側要素１３２、右側頭部内側要素１４２、左前側頭部内側要素１３４、左後側頭部内側要素１３６、右前側頭部内側要素１４４、右後側頭部内側要素１４６を、それぞれ、左端折罫部１３１、右端折罫部１４１、左前端折罫部１３３、左後端折罫部１３５、右前端折罫部１４３及び右後端折罫部１４５で、該側頭部外殻２０２の内側に折り曲げて側頭部内殻２０３を構成する。なお、各要素はどのような順番で折り曲げても良い。以上の作業により、左頭頂部内側要素１３８、右頭頂部内側要素１４８及び補助片１７１〜１７４が、頭頂部外殻２０１の内側（下面側）に配置される。そして、左頭頂部内側要素１３８及び右頭頂部内側要素１４８と頭頂部外殻２０１の間に補助片１７１〜１７４が位置するようにし、この状態で、左頭頂折罫部１３７及び右頭頂折罫部１４７で谷折りし、左頭頂部内側要素１３８の係合凹部１５１に右頭頂部内側要素１４８の係合凸部１５２を差し込む。これにより、左頭頂部内側要素１３８と右頭頂部内側要素１４８とから頭頂部内殻２０４が構成される。このとき、左頭頂折罫部１３７及び右頭頂折罫部１４７に切り起こし片１５３、１５４が設けられており、左頭頂折罫部１３７及び右頭頂折罫部１４７で谷折りした状態が保持されるため、係合凹部１５１と係合凸部１５２の結合が外れにくい。これにより、頭頂部内殻２０４（左頭頂部内側要素１３８及び右頭頂部内側要素１４８）と頭頂部外殻２０１（頭頂部要素１０１）との間に形成される空間を保持することができるため、頭頂部外殻２０１に加わった衝撃が頭部に与える影響を小さくすることができる。
【００３４】
以上の作業により、頭頂部外殻２０１及び側頭部外殻２０２と、その内側にある頭頂部内殻２０４及び側頭部内殻２０３とからなる平面視六角形状の二重構造のヘルメット２００が形成される（図４（ａ）参照）。このとき、側頭部外殻２０２及び側頭部内殻２０３は六角筒状であり、頭頂部外殻２０１は、折曲線１０２の箇所から左右に向かって下方に傾斜し、その内側には頭頂部外殻２０１よりも傾斜が緩やかな頭頂部内殻２０４が位置する（図４（ｂ）〜（ｄ）参照）。また、必要に応じて、紐通し孔１５５、１５６の間に顎紐２６０（図６参照）を掛け渡し、長さを調節するためのコードストッパー２６１を顎紐２６０に通しておく。図５及び図６はヘルメット２００を正面から撮影した写真及び下面から撮影した写真である。
【００３５】
上記構成により、図４（ｃ）及び（ｄ）に示すように、着用者がその頭部Ｈにヘルメット２００を着用したとき、頭部Ｈとヘルメット２００の側頭部内殻２０３と頭頂部内殻２０４との間に空間ができる。また、頭頂部内殻２０４と側頭部外殻２０２との間に空間ができる。従って、ヘルメットが外部からの衝撃を受けたときにその衝撃が前記空間によって緩和されるため、頭部Ｈを強固に保護することができる。しかも、側頭部外殻２０２を構成する要素（左前側頭部要素１１４、左側頭部要素１１１、左後側頭部要素１１５、右後側頭部要素１２５、右側頭部要素１２１及び右前側頭部要素１２４）が全て繋がっているため、頭部Ｈの側頭部に対するヘルメット２００の保護強度が高くなる。さらに、ヘルメット２００の内側においては、頭頂部外殻２０１と頭頂部内殻２０４の間に、左前側頭部内側要素１３４、左後側頭部内側要素１３６、右前側頭部内側要素１４４、右後側頭部内側要素１４６のそれぞれから上方に延びる補助片１７１〜１７４が差し込まれた状態になっている。上記ヘルメット２００は、頭頂部外殻２０１と側頭部外殻２０２とが離間している部分があるが、その部分を補助片１７１〜１７４で塞ぐことができるため、ヘルメット２００の強度が一層向上する。
【００３６】
また、ヘルメット２００の頭頂部外殻２０１と側頭部外殻２０２は、頭頂部外殻２０１と左側頭部要素１１１及び右側頭部要素１２１が繋がっているのみで、その他は離間している。また、側頭部内殻２０３を構成する要素同士は全て離間している。このため、着用者の頭部Ｈの大きさに合わせて、側頭部外殻２０２及び側頭部内殻２０３の断面形状を変形することができる。例えば、左右の幅が大きい頭部Ｈにヘルメット２００を着用する場合は、側頭部外殻２０２及び側頭部内殻２０３を左右に広げれば良く、左右の幅が小さい頭部Ｈにヘルメット２００を着用する場合は、側頭部外殻２０２及び側頭部内殻２０３を前後に広げて左右の幅を小さくすれば良い。さらに、顎紐２６０を有する場合は、この顎紐２６０の長さを長くしたり短くしたりすることで、側頭部外殻２０２及び側頭部内殻２０３の左右の幅を調整することができる。しかも、コードストッパー２６１で顎紐２６０の長さを調節することによって、ヘルメット２００を頭部Ｈに強固に取り付けることができる。
【００３７】
上記構成のヘルメット２００は、２本の折曲線１０２をそれぞれ約９０°折り曲げて頭頂部外殻２０１を半分に折り畳み、折罫線１６２、１６４で約１８０°折り曲げて側頭部外殻２０２を半分に折り畳むことで、ヘルメット２００全体が半分に折り畳まれる（図３（ａ）〜（ｃ）に示す状態）。このとき、ヘルメット２００の内側において、側頭部内殻２０３を構成する要素１３２、１３４、１３６、１４２、１４４、１４６が互いに分離しているため、また、頭頂部外殻２０１と頭頂部内殻２０４の間に補助片１７１〜１７４が挿入され、係合凹部１５１に係合凸部１５２が差し込まれているだけであるため、折曲線１０２と折罫線１６２、１６４を折り曲げるだけでヘルメット２００全体を簡単に折り畳むことができる。
【００３８】
また、図７に示すように、コードストッパー２６１を、顎紐２６０の紐通し孔１５５、１５６の近くまで移動させることにより、ヘルメット２００が折り畳まれた状態を維持することができる。このように折り畳まれたヘルメット２００は、扁平な直方体状になるため書籍と共に本棚に収納する等、狭いスペースに収納することができる。
【００３９】
ヘルメット２００は、着用者の頭部の大きさに合わせて適宜の大きさに設定することができる。例えば、図４（ｂ）に符号Ｌ１で示す長さを120mm〜150mmにし、長さＬ２を100mm〜130mm、長さＬ３を230mm〜260mmにすることができる。
【００４０】
［第２実施例］
本発明の第２実施例の折り畳み式ヘルメットについて図８及び図９を参照して説明する。なお、第１実施例と同一又は対応する部分には同自負号を付して説明を省略する。図７（ａ）〜（ｄ）は、それぞれ本実施例の折り畳み式ヘルメット２００Ａを上方から見た図、側方から見た図、下から見た図、前方から見た図である。このヘルメット２００Ａは、第１実施例のヘルメット２００に比べて、頭頂部外殻２０１Ａを構成する頭頂部要素１０１（図１参照）の左右の幅（左折罫部１１０から右折罫部１２０までの長さ）が大きく、その結果、折曲線１０２の箇所から左右に向かって下方に傾斜する角度が大きく（傾斜がきつく）なっている。これに伴い、側頭部外殻２０２を構成する左右の前側頭部要素１１４、１２４と左右の後側頭部要素１１５、１２５（いずれも図１を参照）の高さが、第１実施例のヘルメットのものより大きくなっている。
【００４１】
このような構成により、図８に示すように、第１実施例のヘルメット２００は、第２実施例のヘルメット２００Ａよりも、全体の高さが大きくなっている。正面側から撮影した写真である。この写真からも、ヘルメット２００Ａの頭頂部外殻２０１Ａがヘルメット２００の頭頂部外殻２０１よりも、
【００４２】
一方、頭頂部内殻２０４は第１実施例のヘルメット２００と同じ寸法に設計されている。このため、頭頂部外殻２０１Ａと頭頂部内殻２０４の間に形成される空間が、ヘルメット２００よりも大きくなり、頭頂部外殻２０１Ａに加わった衝撃が頭部に与える影響を一層小さくすることができる。
【００４３】
なお、本発明は上述した実施例に限定されるものではなく、適宜の変更が可能である。
例えば上記第１及び第２実施例では、展開シート１００を二重段ボールシートから形成したが、２枚の平板とその間に挟まれた１枚の波板から成る一般的な段ボールシートから形成しても良く、厚紙から構成して良い。
【００４４】
上記第１及び第２実施例では、左前側頭部要素と右前側頭部要素、左後側頭部要素と右後側頭部要素を、右前側頭部要素及び右後側頭部それぞれの右端に結合片を設け、各結合片に塗布された接着剤によって結合したが、粘着テープや紐等を使って結合しても良い。
【００４５】
上記第１及び第２実施例では、頭頂部外殻２０１及び側頭部外殻２０２と、頭頂部内殻２０４及び側頭部内殻２０３の二重構造のヘルメット２００、２００Ａについて説明したが、頭頂部外殻２０１及び側頭部外殻２０２からヘルメットを構成しても良く、頭頂部外殻２０１及び側頭部外殻２０２と側頭部内殻２０３とからヘルメットを構成しても良い。
また、上記第１及び第２実施例で説明したヘルメット２００、２００Ａから補助片１７１〜１７４を無くした構成のヘルメットとしても良い。
【符号の説明】
【００４６】
１００…展開シート
１０１…頭頂部要素
１０２…折曲線
１１０…左折罫部
１１１…左側頭部要素
１１２…左前折罫部
１１３…左後折罫部
１１４…左前側頭部要素
１１５…左後側頭部要素
１２０…右折罫部
１２１…右側頭部要素
１２２…右前折罫部
１２３…右後折罫部
１２４…右前側頭部要素
１２５…右後側頭部要素
１３１…左端折罫部
１３２…左側頭部内側要素
１３３…左前端折罫部
１３４…左前側頭部内側要素
１３５…左後端折罫部
１３６…左後側頭部内側要素
１３７…左頭頂折罫部
１３８…左頭頂部内側要素
１４１…右端折罫部
１４２…右側頭部内側要素
１４３…右前端折罫部
１４４…右前側頭部内側要素
１４５…右後端折罫部
１４６…右後側頭部内側要素
１４６…左後側頭部内側要素
１４７…右頭頂折罫部
１４８…右頭頂部内側要素
１５１…係合凹部
１５２…係合凸部
１５３…切り起こし片
１５５、１５６…紐通し孔
１６１、１６３…結合片
１７１〜１７４…補助片
２００、２００Ａ…ヘルメット
２０１、２０１Ａ…頭頂部外殻
２０２…側頭部外殻
２０３…側頭部内殻
２０４…頭頂部内殻
２６０…顎紐
【図１】
0006893229.tif 000002
【図２】
0006893229.tif 000003
【図３】
0006893229.tif 000004
【図４】
0006893229.tif 000005
【図５】
0006893229.tif 000006
【図６】
0006893229.tif 000007
【図７】
0006893229.tif 000008
【図８】
0006893229.tif 000009
【図９】
0006893229.tif 000010